(57)【要約】      （修正有）【課題】ティーの交換が可能であり、かつ、ショット後に容易に見つけることができるティー連結具及びこれを備えるティーセットを提供する。【解決手段】ゴルフ用のティー同士を連結するティー連結具１０であって、それぞれのティーに着脱可能に取り付けられる取付部４と、複数の取付部を互いに連結する連結紐部３と、連結紐部に設けられた板状部材５とを備える。ティーを交換することができるだけでなく、ショット後に板状部材が空気抵抗体として機能し、遠くに飛ばないようにできる。【選択図】図１
0003199271.tif 000002
【実用新案登録請求の範囲】
【請求項１】
ゴルフ用のティー同士を連結するティー連結具であって、
それぞれの前記ティーに着脱可能に取り付けられる取付部と、
複数の前記取付部を互いに連結する連結紐部と、
前記連結紐部に設けられた板状部材と
を備えることを特徴とするティー連結具。
【請求項２】
前記取付部は、弾性部材により円筒状に形成され、かつ前記円筒状の筒穴に前記ティーが挿脱可能に構成されていることを特徴とする請求項１に記載のティー連結具。
【請求項３】
前記連結紐部と前記取付部とが、前記取付部の長さ方向の一端部において揃えられて連結されていることを特徴とする請求項２に記載のティー連結具。
【請求項４】
前記連結紐部と前記取付部とが、一体成形されていることを特徴とする請求項２又は請求項３に記載のティー連結具。
【請求項５】
前記板状部材に貫通孔が設けられており、
前記連結紐部が、前記貫通孔に通されていることを特徴とする請求項１から請求項４のいずれか一項に記載のティー連結具。
【請求項６】
前記板状部材が、前記貫通孔を介して前記連結紐部に対してスライド移動可能に構成されていることを特徴とする請求項５に記載のティー連結具。
【請求項７】
前記板状部材に、前記ティーを固定する環状固定部が設けられていることを特徴とする請求項１から請求項６のいずれか一項に記載のティー連結具。
【請求項８】
前記板状部材の対向する縁部に、それぞれ切り欠き部が設けられており、
前記環状固定部が、前記切り欠き部を介して前記板状部材の全周にわたって延ばされていることを特徴とする請求項７に記載のティー連結具。
【請求項９】
前記板状部材に、宣伝広告が付された宣伝広告スペース部が設けられていることを特徴とする請求項１から請求項８のいずれか一項に記載のティー連結具。
【請求項１０】
前記ティーと、
請求項１から請求項９のいずれか一項に記載のティー連結具と
を備えることを特徴とするティーセット。
【考案の詳細な説明】
【技術分野】
【０００１】
本考案は、ゴルフ用のティー同士を連結するティー連結具及びこれを備えるティーセットに関する。
【背景技術】
【０００２】
従来、ゴルフ用のティーとティーとを連結するティー連結具が利用されている（例えば、特許文献１参照。）。
これらティー連結具は、一のティーと他のティーとに連結された紐部を備えているのが一般的である。そして、例えば、ドライバーなどを使用する場合には、紐部の一端に連結された一のティーを地面に差し込む。一方、アイアンなどを使用する場合には、紐部の他端に連結された他のティーを同様にして地面に差し込む。
【先行技術文献】
【特許文献】
【０００３】
【特許文献１】特開２００７−５４６５８号公報
【考案の概要】
【考案が解決しようとする課題】
【０００４】
しかしながら、上記のティー連結具では、連結されたティーを交換することができないため、使い勝手が悪いという問題がある。
また、ティーをセットしてボールをショットすると、その衝撃で紐部が飛んでいってしまい、紛失しやすくなるという問題がある。
【０００５】
本考案は、このような問題を解決するためになされたものであり、利便性を向上させることができるだけでなく、ショット後に容易に見つけることができるティー連結具及びこれを備えるティーセットを提供することを目的とする。
【課題を解決するための手段】
【０００６】
上記課題を解決するために、本考案は以下の手段を提供する。
本考案は、ゴルフ用のティー同士を連結するティー連結具であって、それぞれの前記ティーに着脱可能に取り付けられる取付部と、複数の前記取付部を互いに連結する連結紐部と、前記連結紐部に設けられた板状部材とを備えることを特徴とする。
【０００７】
この考案によれば、取り付けられたティーを別のティーに交換することができ、利便性を向上させることができる。また、ショット後に板状部材を空気抵抗として機能させることができ、遠くに飛んで行ってしまうことを防止することができる。そのため、ショット後に、ティーセットを容易に見つけることができる。
【０００８】
また、前記取付部が、弾性部材により円筒状に形成され、かつ前記円筒状の筒穴に前記ティーが挿脱可能に構成されていてもよい。
【０００９】
この考案によれば、取付部の筒孔にティーを抜き差しするという簡易な動作を行うだけで、ティーを容易に取り付け又は取り外すことができる。
【００１０】
また、前記連結紐部と前記取付部とが、前記取付部の長さ方向の一端部において揃えられて連結されていてもよい。
【００１１】
この考案によれば、筒孔へのティーの挿入を容易にすることができる。
【００１２】
また、前記連結紐部と前記取付部とが、一体成形されていてもよい。
【００１３】
この考案によれば、迅速かつ容易に製造することができる。
【００１４】
また、前記板状部材に貫通孔が設けられており、前記連結紐部が、前記貫通孔に通されていてもよい。
【００１５】
この考案によれば、簡易な構成により、板状部材を連結紐部に取り付けることができる。
【００１６】
また、前記板状部材が、前記貫通孔を介して前記連結紐部に対してスライド移動可能に構成されていてもよい。
【００１７】
この考案によれば、板状部材や連結紐部などにショット後に瞬間的に負荷がかかることを緩和することができ、耐久性を向上させることができる。
【００１８】
また、前記板状部材に、前記ティーを固定する環状固定部が設けられていてもよい。
【００１９】
この考案によれば、板状部材にティーを固定することができ、携行を容易にすることができる。
【００２０】
また、前記板状部材の対向する縁部に、それぞれ切り欠き部が設けられており、前記環状固定部が、前記切り欠き部を介して前記板状部材の全周にわたって延ばされて構成されていてもよい。
【００２１】
この考案によれば、環状固定部を板状部材に固定することができる。
【００２２】
また、前記板状部材に、宣伝広告が付された宣伝広告スペース部が設けられていてもよい。
【００２３】
この考案によれば、記念品や贈答品、販促品として利用することができる。
【００２４】
また、本考案は、前記ティーと、請求項１から請求項９のいずれか一項に記載のティー連結具とを備えることを特徴とする。
【００２５】
この考案によれば、請求項１から請求項９のいずれか一項に記載のティー連結具と同様の効果を奏することができるだけでなく、ティーグラウンドにティーを確実にセットすることができる。
【考案の効果】
【００２６】
本考案によれば、利便性を向上させることができるだけでなく、ショット後に容易に見つけることができる。
【図面の簡単な説明】
【００２７】
【図１】本考案の実施形態としてのティー連結具１０及びティーセット１を示す全体構成図である。
【図２】図１の連結紐部３を示す斜視図である。
【図３】図１の板状部材５を示す分解平面図である。
【図４】図１のティーが環状固定部５ｂによって固定された様子を示す平面図である。
【考案を実施するための形態】
【００２８】
（実施形態）
以下、本考案の実施形態におけるティー連結具及びティーセットについて説明する。
図１は、ティー連結具１０及びティーセット１を示す全体構成図である。
ティーセット１は、ティー連結具１０と、一のティー２ａと、他のティー２ｂとを備えている。
一のティー２ａは、円柱状に形成されており、その下端から地面に差し込まれた状態で、上端にボールが載せられるようになっている。また、一のティー２ａは、主としてドライバー用として利用されるものであり、他のティー２ｂよりも大きなサイズとなっている。
他のティー２ｂは、円柱状に形成されており、一のティー２ａと同様に、その下端から地面に差し込まれた状態で、上端にボールが載せられるようになっている。他のティー２ｂは、主としてアイアン用に利用されるものである。
【００２９】
ティー連結具１０は、一対の取付部４と、これら取付部４同士を連結する連結紐部３と、この連結紐部３に設けられた板状部材５とを備えている。取付部４と連結紐部３とは、シリコンゴムにより一体成形されている。なお、取付部４のうち、連結紐部３の一端に連結されたものを一の取付部４ａとし、連結紐部３の他端に連結されたものを他の取付部４ｂとする。
取付部４は、円筒状に形成されており、径方向に拡大縮小して弾性変形するようになっている。取付部４の内径は、ティーの外径よりも小さくなっている。そして、取付部４の筒孔４１に、一のティー２ａ又は他のティー２ｂが挿脱されるようになっている。すなわち、取付部４は、一のティー２ａ又は他のティー２ｂが着脱可能に取り付けられるようになっている。
【００３０】
また、図２に示すように、一の取付部４ａの長さ方向Ｌ（筒孔４１の軸方向）の一端部において、連結紐部３の一端が連結されており、他の取付部４ｂの長さ方向Ｌの一端部において連結紐部３の他端が連結されている。これら一の取付部４ａ及び他の取付部４ｂの長さ方向Ｌの両端部のうち、ともに同方向の一端部に揃えられて、連結紐部３が連結されている。すなわち、一の取付部４ａの一端部と他の取付部４ｂの他端部などに連結紐部３が連結されるのではなく、すべての取付部４の長さ方向Ｌの一端部において揃えられて、連結紐部３が連結されている。
【００３１】
また、図３に示すように、板状部材５は、樹脂からなり矩形板状に形成されている。
板状部材５の長さ方向Ｍの一端側には、貫通孔５ｄが形成されている。貫通孔５ｄには、図１に示す連結紐部３が通されている。そして、貫通孔５ｄの内径寸法は連結紐部３の外形寸法よりも大きくなっていることから、板状部材５は、連結紐部３の長さ方向にスライド移動するようになっている。
また、板状部材５の対向する長辺部５ｅ（縁部）の全長のうち、長さ方向Ｍの一端側に、一対の切り欠き部５ａが形成されている。これら切り欠き部５ａは、短手方向Ｎ（内方側）に切り欠かれている。
これら切り欠き部５ａには、環状に形成された環状固定部５ｂが設けられている。
【００３２】
環状固定部５ｂは、シリコンゴムからなっており、径方向に拡大縮小して弾性変形するようになっている。すなわち、環状固定部５ｂを拡径した状態で、環状固定部５ｂに板状部材５を挿入していき、環状固定部５ｂが切り欠き部５ａに一致した位置で、環状固定部５ｂを解放すると、環状固定部５ｂは、復元力により切り欠き部５ａに納まるようになっている。このとき、環状固定部５ｂは、弾性変形された状態が維持され、縮径するように力が働いたまま切り欠き部５ａに固定される。そして、環状固定部５ｂは、切り欠き部５ａを介して板状部材５の全周にわたって延ばされた状態になる。そのため、図４に示すように、環状固定部５ｂに一のティー２ａ及び他のティー２ｂを通すと、これら一のティー２ａ及び他のティー２ｂが板状部材５に固定されるようになっている。なお、図４においては、説明の便宜のため、連結紐部３を省略していることは言うまでもない。
【００３３】
また、板状部材５の一方の主面のうち、長さ方向Ｍの他端側には、宣伝広告が付された宣伝広告スペース部５ｃが設けられている。宣伝広告スペース部５ｃには、会社名、氏名、住所、電話番号、ＦＡＸ番号、メールアドレスなどの会社情報が印刷されている。これら会社情報により、ティー連結具１０及びティーセット１が販促品や贈答品などとして機能する。
【００３４】
次いで、ティー連結具１０及びティーセット１の利用方法について説明する。
ティー連結具１０及びティーセット１は、ゴルフのプレイ時に利用されるものである。
まず、取付部４にティーを取り付ける。すなわち、一の取付部４ａの筒孔４１のうち、長さ方向Ｌの一端側から、一のティー２ａをその下端から挿入していく。このとき、連結紐部３の一端が一の取付部４ａの長さ方向Ｌの一端部に設けられていることから、一のティー２ａの上方に向かって連結紐部３を指で押し上げるようにして、一の取付部４ａを移動させていく。そして、一のティー２ａの長さ方向の所定の位置で一の取付部４ａの移動を止める。このとき、取付部４の内径は、一のティー２ａの外径よりも小さくなっていることから、一のティー２ａが筒孔４１に差し込まれることにより、一の取付部４ａが拡径して弾性変形し、その復元力により、一のティー２ａが取付部４ａに固定される。
同様にして、他の取付部４ｂにも、他のティー２ｂを取り付ける。これにより、ティーが取付部４に着脱可能に取り付けられる。
【００３５】
さらに、ティーセット１をポケットなどに入れて携行するときは、以下のようにして、ティーを固定する。すなわち、一のティー２ａの下端を環状固定部５ｂの内方側に差し込む。環状固定部５ｂは、拡径してさらに弾性変形する。そして、図４に示すように、一のティー２ａを所定の位置まで差し込んでいく。このとき、環状固定部５ｂは、その復元力により縮径するように力が働くことから、一のティー２ａが固定される。同様にして、他のティー２ｂも環状固定部５ｂの内方側に固定する。この状態のまま、ティーセット１がポケットなどに入れられて携行される。
【００３６】
なお、取付部４に取り付けられたティーを別のティーに交換したいという場合がある。例えば、連結紐部３が切れてしまったときに、当該ティーを別のティー連結具１０に取り付ける場合や、当該ティーに対してサイズやデザイン、種類などが異なる別のティーに取り替えたいという場合である。この場合であっても、取付部４からティーを引き抜くことにより、取付部４を取り付け前の状態に戻すことができ、上記と同様にして別のティーを新たに取り付けることができる。
【００３７】
また、ティーセット１を利用するときには、図１に示すように、一のティー２ａ及び他のティー２ｂを環状固定部５ｂから取り外す。そして、例えば、一のティー２ａの下端を地面に差し込み固定する。この状態から、一のティー２ａの上端にボールを載せて、ドライバーなどで当該ボールをショットする。このとき、従来のティーセットであれは、衝撃や風圧などにより、ティーセット１が遠くに飛んで行ってしまい紛失してしまうことがあった。
本実施形態におけるティー連結具１０及びティーセット１においては、以下のようにして、紛失が防止される。
すなわち、衝撃や風圧によって一のティー２ａが飛ばされると、板状部材５の主面が空気を受けることにより、板状部材５が連結紐部３の他端側にスライド移動する。そして、他の取付部４ｂによって板状部材５のスライド移動が規制される。そのため、板状部材５の主面が空気を受け、板状部材５が空気抵抗体として機能する。そのため、一のティー２ａが飛ばされそうになっても、板状部材５の空気抵抗により、ティーセット１全体が遠くに飛ばされることなく、ショットの位置の近傍に止まることになる。これにより、ティーセット１が紛失してしまうことが防止される。
【００３８】
以上より、本実施形態におけるティー連結具１０及びティーセット１によれば、取付部４にティーが着脱可能に取り付けられることから、取り付けられたティーを別のティーに交換することができ、利便性を向上させることができる。
また、板状部材５が設けられていることから、ショット後に板状部材５を空気抵抗として機能させることができ、ティーセット１全体が遠くに飛んで行ってしまうことを防止することができる。そのため、ショット後に、ティーセット１を容易に見つけることができる。
また、取付部４か円筒状に形成され、ティーが挿脱されるようになっていることから、取付部４の筒孔４１にティーの下端を抜き差しするという簡易な動作を行うだけで、ティーを容易に取り付け又は取り外すことができる。
【００３９】
また、取付部４の長さ方向Ｌの一端部に揃えられて連結紐部３が連結されていることから、ティーを取付部４に挿入していくときに、連結紐部３を指で押し上げることができ、筒孔４１へのティーの挿入を容易にすることができる。
また、連結紐部３と取付部４とが一体成形されていることから、迅速かつ容易に製造することができる。
また、板状部材５に貫通孔５ｄが設けられ、この貫通孔５ｄに連結紐部３が通されていることから、簡易な構成により、板状部材５を連結紐部３に取り付けることができる。
また、板状部材５が、貫通孔５ｄを介して連結紐部３の長さ方向にスライド移動可能に構成されていることから、ショット後に板状部材５が連結紐部３の長さ方向にスライド移動する。すなわち、ショット後に直ちに板状部材５が空気抵抗として機能するのではなく、スライド移動の間、遊びとして機能し、板状部材５や連結紐部３などにショット後に瞬間的に負荷がかかることを緩和することができ、耐久性を向上させることができる。
【００４０】
また、板状部材５に環状固定部５ｂが設けられていることから、環状固定部５ｂの内方側にティーを差すという簡易な動作を行うだけで、板状部材５にティーを固定することができ、携行を容易にすることができる。
また、切り欠き部５ａに環状固定部５ｂが設けられていることから、環状固定部５ｂを板状部材５に固定することができる。
また、板状部材５に宣伝広告スペース部５ｃが設けられていることから、記念品や贈答品、販促品として利用することができる。
【００４１】
なお、本考案の技術範囲は上記の実施形態に限定されるものではなく、本考案の趣旨を逸脱しない範囲において、種々の変更を加えることが可能である。
例えば、連結紐部３及び取付部４がシリコンゴムからなるとしたが、これに限ることはなく、材質等は適宜変更可能である。例えば、他の樹脂やゴム、金属または綿などであってもよい。但し、シリコンゴムにすると、成形が容易であるだけでなく、色柄などを付すことができる点で好ましい。
また、板状部材５が矩形であるとしたが、これに限ることはなく、その形状は適宜変更可能である。例えば、三角形、四角形、五角形などの多角形や、動植物、キャラクター、幾何学形状など自由に設定することができる。
また、板状部材５が樹脂からなるとしたか、これに限ることはなく、その材質は適宜変更可能である。例えば、ゴム、木材又は金属などでもよい。また、板状部材５をゴルフのスコアやグリーンフォークなどと兼用させてもよい。
【００４２】
また、宣伝広告スペース部５ｃに付す宣伝広告は、会社情報だけでなく、ロゴ、キャラクター、写真、絵、線図などであってもよい。
また、宣伝広告スペース部５ｃには、印刷などにより宣伝広告を付すものとしたが、これに限ることはなく、適宜変更可能である。例えば、直接記入、刻印又は貼付などであってもよい。
また、宣伝広告スペース部５ｃが板状部材５の一方の主面に設けられるとしたが、これに限ることはなく、その設置位置は適宜変更可能である。例えば、一方の主面の上方や全面又は他方の主面に設けてもよい。
【００４３】
また、取付部４が円筒状に形成されているとしたが、これに限ることはなく、その形状は適宜変更可能である。例えば、円環状にしたり、ティーを挟持する構成にしたりすることができる。
また、連結紐部３と取付部４とが長さ方向Ｌの一端部において揃えられて連結されているとしたが、これに限ることはなく、連結位置は適宜変更可能である。
また、連結紐部３と取付部４とが一体成形されているとしたが、これに限ることはなく、別部品として連結してもよい。
また、板状部材５に貫通孔５ｄが設けられ、この貫通孔５ｄに連結紐部３が通されるとしたが、これに限ることはなく、その構成は適宜変更可能である。例えば、板状部材５に筒状部を設けて、この筒状部に連結紐部３を通すようにしてもよいし、連結機構により連結紐部３に連結するようにしてもよい。
【００４４】
また、板状部材５が連結紐部３に対してスライド移動可能に構成するとしたが、これに限ることはなく、連結紐部３に板状部材５を固定してもよい。
また、板状部材５に環状固定部５ｂが設けられているとしたが、これに限ることはなく、環状固定部５ｂを設けなくてもよい。
また、長辺部５ｅに切り欠き部５ａが形成されているとしたが、これに限ることはなく、切り欠き部５ａを設けなくてもよい。
また、宣伝広告スペース部５ｃが設けられているとしたが、これに限ることはなく、宣伝広告スペース部５ｃを設けなくてもよい。
【符号の説明】
【００４５】
１  ティーセット
２ａ  一のティー
２ｂ  他のティー
３  連結紐部３
４  取付部
４１  筒孔
５  板状部材
５ａ  切り欠き部
５ｂ  環状固定部
５ｃ  宣伝広告スペース部
５ｄ  貫通孔
５ｅ  長辺部（縁部）
１０  ティー連結具
Ｌ  長さ方向
【図１】
0003199271.tif 000003
【図２】
0003199271.tif 000004
【図３】
0003199271.tif 000005
【図４】
0003199271.tif 000006